【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
１つ以上のコンピュータ可読記憶媒体と、
前記１つ以上のコンピュータ可読記憶媒体上に記憶されたプログラム命令であって、処理システムによって実行された時に、少なくとも、
キャンバスと、選択された時に複数の機構メニューまでナビゲートする複数のメニュー要素を含むナビゲーションメニューを、選択された時に表示するグラフィカルナビゲーション要素と、を含むユーザインターフェースをアプリケーションに対して提示することと、
コンテキスト機構メニューの使用可能性に影響を及ぼす活動についてモニターすることと、
前記活動を検出することと、
前記活動の検出に応答して、前記グラフィカルナビゲーション要素の外観を修正することと、
を前記処理システムに指示する、プログラム命令と、を含み、
前記グラフィカルナビゲーション要素の外観は、選択された時に前記コンテキスト機構メニューまでナビゲートするコンテキストメニュー要素の前記複数の機構メニューにおける存在を表す、
装置。
【請求項２】
前記プログラム命令が、
前記コンテキストメニュー要素が前記ナビゲーションメニュー内に存在する時に前記グラフィカルナビゲーション要素の選択に応答して、前記ユーザインターフェース内に前記ナビゲーションメニューを提示することと、
前記コンテキストメニュー要素と前記複数のメニュー要素内の他のメニュー要素とを視覚的に区別するために前記コンテキストメニュー要素の外観を修正することと、
を前記処理システムに更に指示する、請求項１に記載の装置。
【請求項３】
前記プログラム命令が、
前記コンテキストメニュー要素の選択に応答して、前記コンテキスト機構メニューを提示することと、
コンテキスト制御部の存在を視覚的に表すために前記コンテキスト機構メニュー内の他のグラフィカルナビゲーション要素の外観を修正することと、
を前記処理システムに指示する、請求項２に記載の装置。
【請求項４】
前記プログラム命令を実行する前記処理システムを更に含み、
前記ナビゲーションメニューが、リボンツールバーを含み、
前記複数のメニュー要素のそれぞれが、前記複数の機構メニューのうちの対応する１つまでナビゲートするために選択可能なグラフィカルタブを含む、請求項２に記載の装置。
【請求項５】
前記グラフィカルナビゲーション要素の外観を修正するために、前記プログラム命令が、
前記グラフィカルナビゲーション要素を前記ユーザインターフェース内の初期位置から水平にシフトすることと、
前記グラフィカルナビゲーション要素を前記初期位置に戻すことと、
を前記処理システムに指示する、請求項４に記載の装置。
【請求項６】
前記プログラム命令が、前記アプリケーションを含み、
前記グラフィカルナビゲーション要素を前記ユーザインターフェース内の前記初期位置から水平にシフトし、前記グラフィカルナビゲーション要素を前記初期位置に戻すために、前記アプリケーションが、オペレーティングシステムコンポーネントに対して複数の呼び出しを行って、前記グラフィカルナビゲーション要素の水平表示パラメータを初期値から次の値にシフトすることと、
前記水平表示パラメータを前記初期値に戻すことと、
を前記処理システムに指示する、請求項５に記載の装置。
【請求項７】
前記グラフィカルナビゲーション要素の外観を修正するために、前記プログラム命令が、前記グラフィカルナビゲーション要素内の記号のインスタンスを表面化することを前記処理システムに更に指示する、請求項５に記載の装置。
【請求項８】
前記コンテキストメニュー要素と前記複数のメニュー要素内の他のメニュー要素とを視覚的に区別するために前記コンテキストメニューの外観を修正するために、前記プログラム命令が、
前記コンテキストメニュー要素内の前記記号の他のインスタンスを表面化することを前記処理システムに指示する、請求項７に記載の装置。
【請求項９】
１つ以上のコンピュータ可読記憶媒体と、
前記１つ以上のコンピュータ可読記憶媒体上に記憶されたプログラム命令であって、処理システムによって実行された時に、少なくとも、
キャンバスと、選択された時に複数の機構メニューまでナビゲートする複数のメニュー要素を含むナビゲーションメニューを、選択された時に表示するグラフィカルナビゲーション要素と、を含むユーザインターフェースをアプリケーションに対して提示することと、
前記ナビゲーションメニュー内のコンテキストタブの存在を検出することと、
前記コンテキストタブの存在に応答してバンプアニメーションを表示することと、
前記コンテキストタブの選択を検出することと、
前記コンテキストタブの選択の検出に応答して他のバンプアニメーションを表示することと、
を前記処理システムに指示するアプリケーションを含む、プログラム命令と、
を含む、装置。
【請求項１０】
前記プログラム命令を読み取って実行するために前記１つ以上のコンピュータ可読記憶媒体に動作可能に結合された前記処理システムを更に含み、
前記アプリケーションが、文書生産性アプリケーションを含む、請求項９に記載の装置。
【請求項１１】
前記プログラム命令が、
前記コンテキストタブと前記リボン内の他の非コンテキストタブとを区別する方式で前記リボン内の前記コンテキストタブを表面化することを前記処理システムに更に指示する、請求項９に記載の装置。
【請求項１２】
前記プログラム命令が、
前記アプリケーションに対してユーザインターフェース内で行われる活動であって、前記リボン内の前記コンテキストタブの存在をトリガする活動についてモニターすることを前記処理システムに更に指示する、請求項９に記載の装置。
【請求項１３】
アプリケーションに対するユーザインターフェースを強化するための方法であって、
キャンバスと、選択された時に複数の機構メニューまでナビゲートする複数のメニュー要素を含むナビゲーションメニューを、選択された時に表示するグラフィカルナビゲーション要素と、を含むユーザインターフェースをアプリケーションに対して提示することと、
コンテキスト機構メニューの使用可能性に影響を及ぼす活動についてモニターすることと、
前記活動を検出することと、
前記活動の検出に応答して、前記グラフィカルナビゲーション要素の外観を修正することと、を含み、
前記グラフィカルナビゲーション要素の外観は、選択された時に前記コンテキスト機構メニューまでナビゲートするコンテキストメニュー要素の前記複数の機構メニューにおける存在を表す、方法。
【請求項１４】
前記プログラム命令が、
前記コンテキストメニュー要素が前記ナビゲーションメニュー内に存在する時に前記グラフィカルナビゲーション要素の選択に応答して、前記ユーザインターフェース内に前記ナビゲーションメニューを提示することと、
前記コンテキストメニュー要素と前記複数のメニュー要素内の他のメニュー要素とを視覚的に区別するために前記コンテキストメニュー要素の外観を修正することと、
を前記処理システムに更に指示する、請求項１３に記載の方法。
【請求項１５】
前記コンテキストメニュー要素の選択に応答して、前記コンテキスト機構メニューを提示し、コンテキスト制御部の存在を視覚的に表すために前記コンテキスト機構メニュー内の他のグラフィカルナビゲーション要素の外観を修正する、請求項１４に記載の方法
【請求項１６】
前記ナビゲーションメニューが、リボンツールバーを含み、
前記複数のメニュー要素のそれぞれが、前記複数の機構メニューのうちの対応する１つまでナビゲートするために選択可能なグラフィカルタブを含む、請求項１４に記載の方法。